(57)【特許請求の範囲】
【請求項１】
ネットワークに接続され得る機器が実装するＭＩＢを識別するオブジェクトＩＤと前記オブジェクトＩＤの取得要求に応答して前記機器より返信される値と前記値に対応する文字列とが定義されたデータファイルであって、前記ネットワークに接続された機器の種類を判別できるオブジェクトＩＤが定義されたデータファイルと、当該ネットワーク監視装置と同一の製造元が製造した機器が実装するＭＩＢを識別するオブジェクトＩＤが定義されたデータファイルと、当該ネットワーク監視装置と異なる製造元が製造した機器が実装する標準ＭＩＢを識別するオブジェクトＩＤが定義されたデータファイルとを格納する記憶手段と、前記機器の種類を判別するためのデータファイルに定義されたオブジェクトＩＤの取得要求を前記機器に送信し応答を受信することにより前記機器の種類を判別し、当該ネットワーク監視装置と同一の製造元が製造した機器である場合は当該機器用のデータファイルを前記記憶手段から読み込む一方、当該ネットワーク監視装置と異なる製造元が製造した機器である場合は標準ＭＩＢ用のデータファイルを前記記憶手段から読み込んでデータファイルを参照することにより前記ネットワークに接続された機器にオブジェクトＩＤの取得要求を行い前記機器より返信された値に対応する文字列を前記機器のステータス情報として表示手段に表示するためのプログラムを実行するプログラム実行手段と、を具備することを特徴とするネットワーク監視装置。
【請求項２】
前記記憶手段は、前記ネットワークに接続された機器のステータス情報を表示するためのステータス表示画面の全機種共通のリソースデータが記載されたデータファイルを格納することを特徴とする請求項１記載のネットワーク監視装置。
【請求項３】
ネットワークに接続され得る機器が実装するＭＩＢを識別するオブジェクトＩＤと前記オブジェクトＩＤの取得要求に応答して前記機器より返信される値と前記値に対応する文字列とが定義されたデータファイルであって、前記ネットワークに接続された機器の種類を判別できるオブジェクトＩＤが定義されたデータファイルと、当該ネットワーク監視装置と同一の製造元が製造した機器が実装するＭＩＢを識別するオブジェクトＩＤが定義されたデータファイルと、当該ネットワーク監視装置と異なる製造元が製造した機器が実装する標準ＭＩＢを識別するオブジェクトＩＤが定義されたデータファイルとを格納する記憶手段を備えたネットワーク監視装置のネットワーク監視方法において、前記機器の種類を判別するためのデータファイルに定義されたオブジェクトＩＤの取得要求を前記機器に送信し応答を受信することにより前記ネットワークに接続された機器の種類を判別し、当該ネットワーク監視装置と同一の製造元が製造した機器である場合は当該機器用のデータファイルを前記記憶手段から読み込む一方、当該ネットワーク監視装置と異なる製造元が製造した機器である場合は標準ＭＩＢ用のデータファイルを前記記憶手段から読み込んでデータファイルを参照することにより前記ネットワークに接続された機器にオブジェクトＩＤの取得要求を行い前記機器より返信された値に対応する文字列を前記機器のステータス情報として表示手段に表示することを特徴とするネットワーク監視方法。
【請求項４】
ネットワークに接続され得る機器が実装するＭＩＢを識別するオブジェクトＩＤと前記オブジェクトＩＤの取得要求に応答して前記機器より返信される値と前記値に対応する文字列とが定義されて当該プログラムが動作するコンピュータの記憶手段に格納されたデータファイルであって、前記ネットワークに接続された機器の種類を判別できるオブジェクトＩＤが定義されたデータファイルと、当該ネットワーク監視装置と同一の製造元が製造した機器が実装するＭＩＢを識別するオブジェクトＩＤが定義されたデータファイルと、当該ネットワーク監視装置と異なる製造元が製造した機器が実装する標準ＭＩＢを識別するオブジェクトＩＤが定義されたデータファイルとを参照し、ネットワークに接続され得る機器が実装するＭＩＢの定義が組み込まれていないプログラムであって、前記機器の種類を判別するためのデータファイルに定義されたオブジェクトＩＤの取得要求を前記機器に送信し応答を受信することにより前記ネットワークに接続された機器の種類を判別する手順と、当該ネットワーク監視装置と同一の製造元が製造した機器である場合は当該機器用のデータファイルを前記記憶手段から読み込む一方、当該ネットワーク監視装置と異なる製造元が製造した機器である場合は標準ＭＩＢ用のデータファイルを前記記憶手段から読み込んでデータファイルを参照して前記ネットワークに接続された機器にオブジェクトＩＤの取得要求を行い前記機器より返信された値に対応する文字列を前記機器のステータス情報として表示手段に表示する手順と、をコンピュータに実行させるためのプログラム。
【発明の詳細な説明】
【０００１】
【発明の属する技術分野】
本発明は、ネットワークに接続されたネットワーク構成機器のステータスを監視するネットワーク監視装置及びネットワーク監視方法に関する。
【０００２】
【従来の技術】
ＳＮＭＰ（Simple Network Management Protocol）によりネットワーク管理されるネットワークにおいて、ネットワーク監視装置でネットワーク上のプリンタやコンピュータなどの各種の構成機器のステータスを監視する場合、これらの構成機器が実装するＭＩＢ（Management Information Base）を取得することで実現される。ここで、ＭＩＢとは、ＳＮＭＰでやり取りされる情報のことを呼び、ツリー型の構造を有するデータベースであり、各項目には数字が付与されている。また、ＭＩＢには、標準ＭＩＢと各メーカーが独自の作成された拡張ＭＩＢが用意されている。
【０００３】
ネットワーク監視装置では、このＭＩＢを各構成機器から取得できるプログラム（以下、「ＭＩＢ取得プログラム」という）をインストールしておき、このＭＩＢ取得プログラムを実行することで構成機器のステータスを監視することができる。なお、このＭＩＢ取得プログラムは、各構成機器が実装するＭＩＢの全てが組み込まれたプログラムとなっている。
【０００４】
【発明が解決しようとする課題】
通常、ＭＩＢは、各構成機器の独自の拡張ＭＩＢを含んでいるため、ある構成機器のステータスを監視するためには、その構成機器に対応するＭＩＢ取得プログラムが必要となる。したがって、ネットワーク上に複数の構成機器が接続されており、全ての構成機器のステータスを監視する場合には、全ての構成機器に対応するＭＩＢ取得プログラムをインストールしなければならないという問題がある。なお、ＭＩＢは、構成機器の機種によって異なるものであるため、このような問題は、同一のメーカーで製造された構成機器であっても同様に生じる。
【０００５】
また、ネットワーク上に接続された構成機器が増えていくと、ネットワーク監視装置がインストールするＭＩＢ取得プログラムの数も増えていくので、これらのＭＩＢ取得プログラムによってネットワーク監視装置のメモリが圧迫されていくという問題も生じる。
【０００６】
本発明は、かかる問題点に鑑みて為されたものであり、ネットワークに接続された構成機器の機種によらず、単一のＭＩＢ取得プログラムで全ての機種のＭＩＢを取得し、ネットワーク上の構成機器のステータスを監視することができるネットワーク監視装置及びネットワーク監視方法を提供することを目的とする。
【０００７】
【課題を解決するための手段】
本発明は、ネットワークに接続され得る機器が実装するＭＩＢを識別するオブジェクトＩＤと前記オブジェクトＩＤの取得要求に応答して前記機器より返信される値と前記値に対応する文字列とが定義されたデータファイルであって、前記ネットワークに接続された機器の種類を判別できるオブジェクトＩＤが定義されたデータファイルと、当該ネットワーク監視装置と同一の製造元が製造した機器が実装するＭＩＢを識別するオブジェクトＩＤが定義されたデータファイルと、当該ネットワーク監視装置と異なる製造元が製造した機器が実装する標準ＭＩＢを識別するオブジェクトＩＤが定義されたデータファイルとを格納する記憶手段と、前記機器の種類を判別するためのデータファイルに定義されたオブジェクトＩＤの取得要求を前記機器に送信し応答を受信することにより前記機器の種類を判別し、当該ネットワーク監視装置と同一の製造元が製造した機器である場合は当該機器用のデータファイルを前記記憶手段から読み込む一方、当該ネットワーク監視装置と異なる製造元が製造した機器である場合は標準ＭＩＢ用のデータファイルを前記記憶手段から読み込んでデータファイルを参照することにより前記ネットワークに接続された機器にオブジェクトＩＤの取得要求を行い前記機器より返信された値に対応する文字列を前記機器のステータス情報として表示手段に表示するためのプログラムを実行するプログラム実行手段とを具備するものである。
【０００８】
本発明によれば、ネットワーク上の機器が実装するＭＩＢの定義が組み込まれたプログラムを対象に応じて使い分けて実行するのではなく、ネットワークに接続され得る機器が実装するＭＩＢが定義されたデータファイルを記憶手段から読み込み、このデータファイル内のデータを参照しながらＭＩＢを取得するためのプログラムを実行して各機器からＭＩＢを取得するので、ネットワークに接続された構成機器の機種によらず、単一のプログラムでネットワーク上のあらゆる機種のステータスを監視することができる。
【０００９】
【発明の実施の形態】
本発明の第１の態様に係るネットワーク監視装置は、ネットワークに接続され得る機器が実装するＭＩＢを識別するオブジェクトＩＤと前記オブジェクトＩＤの取得要求に応答して前記機器より返信される値と前記値に対応する文字列とが定義されたデータファイルであって、前記ネットワークに接続された機器の種類を判別できるオブジェクトＩＤが定義されたデータファイルと、当該ネットワーク監視装置と同一の製造元が製造した機器が実装するＭＩＢを識別するオブジェクトＩＤが定義されたデータファイルと、当該ネットワーク監視装置と異なる製造元が製造した機器が実装する標準ＭＩＢを識別するオブジェクトＩＤが定義されたデータファイルとを格納する記憶手段と、前記機器の種類を判別するためのデータファイルに定義されたオブジェクトＩＤの取得要求を前記機器に送信し応答を受信することにより前記機器の種類を判別し、当該ネットワーク監視装置と同一の製造元が製造した機器である場合は当該機器用のデータファイルを前記記憶手段から読み込む一方、当該ネットワーク監視装置と異なる製造元が製造した機器である場合は標準ＭＩＢ用のデータファイルを前記記憶手段から読み込んでデータファイルを参照することにより前記ネットワークに接続された機器にオブジェクトＩＤの取得要求を行い前記機器より返信された値に対応する文字列を前記機器のステータス情報として表示手段に表示するためのプログラムを実行するプログラム実行手段と、を具備する構成を採る。
【００１０】
この構成によれば、ネットワーク上の機器が実装するＭＩＢの定義が組み込まれたプログラムを対象に応じて使い分けて実行するのではなく、ネットワークに接続され得る機器が実装するＭＩＢが定義されたデータファイルを記憶手段から読み込み、このデータファイル内のデータを参照しながらＭＩＢを取得するためのプログラムを実行して各機器からＭＩＢを取得するので、ネットワークに接続された構成機器の機種によらず、単一のプログラムでネットワーク上のあらゆる機種のステータスを監視することができる。
【００１２】
また、これらのデータファイルを参照することで、ネットワーク上の機器の種類を判別することができる。そして、本ネットワーク監視装置と同一の製造元の機器と判別された場合には、その機器に対応するＭＩＢが定義されたデータファイルを参照することでその機器用の独自のＭＩＢまで取得することができる。一方、本ネットワーク監視装置と異なる製造元の機器と判別された場合には、その機器に対応する標準ＭＩＢが定義されたデータファイルを参照することで標準ＭＩＢの範囲内でその機器からＭＩＢを取得することができる。
【００１３】
本発明の第２の態様は、第１の態様に係るネットワーク監視装置において、前記記憶手段は、前記ネットワークに接続された機器のステータス情報を表示するためのステータス表示画面の全機種共通のリソースデータが記載されたデータファイルを格納する構成を採る。
【００１４】
この構成によれば、本ネットワーク監視装置は、記憶手段に格納されたリソースデータを参照してステータス表示画面を表示する。したがって、このステータス表示画面の表示を変更したいような場合には、この記憶手段内のデータを書き換えるだけで済むので、容易にステータス表示画面の表示を変更することができる。
【００１５】
本発明の第３の態様に係るネットワーク監視方法は、ネットワークに接続され得る機器が実装するＭＩＢを識別するオブジェクトＩＤと前記オブジェクトＩＤの取得要求に応答して前記機器より返信される値と前記値に対応する文字列とが定義されたデータファイルであって、前記ネットワークに接続された機器の種類を判別できるオブジェクトＩＤが定義されたデータファイルと、当該ネットワーク監視装置と同一の製造元が製造した機器が実装するＭＩＢを識別するオブジェクトＩＤが定義されたデータファイルと、当該ネットワーク監視装置と異なる製造元が製造した機器が実装する標準ＭＩＢを識別するオブジェクトＩＤが定義されたデータファイルとを格納する記憶手段を備えたネットワーク監視装置のネットワーク監視方法において、前記機器の種類を判別するためのデータファイルに定義されたオブジェクトＩＤの取得要求を前記機器に送信し応答を受信することにより前記ネットワークに接続された機器の種類を判別し、当該ネットワーク監視装置と同一の製造元が製造した機器である場合は当該機器用のデータファイルを前記記憶手段から読み込む一方、当該ネットワーク監視装置と異なる製造元が製造した機器である場合は標準ＭＩＢ用のデータファイルを前記記憶手段から読み込んでデータファイルを参照することにより前記ネットワークに接続された機器にオブジェクトＩＤの取得要求を行い前記機器より返信された値に対応する文字列を前記機器のステータス情報として表示手段に表示する構成を採る。
【００１６】
この方法によれば、ネットワーク上の機器が実装するＭＩＢの定義が組み込まれたプログラムを対象に応じて使い分けて実行するのではなく、ネットワークに接続され得る機器が実装するＭＩＢが定義されたデータファイルを読み込み、このデータファイル内のデータを参照しながらＭＩＢを取得するので、ネットワークに接続された構成機器の機種によらず、単一のプログラムでネットワーク上のあらゆる機種のステータスを監視することができる。
【００１８】
また、本ネットワーク監視装置と同一の製造元の機器と判別された場合には、その機器に対応するＭＩＢが定義されたデータファイルを参照することでその機器用の独自のＭＩＢまで取得することができる。一方、本ネットワーク監視装置と異なる製造元の機器と判別された場合には、その機器に対応する標準ＭＩＢが定義されたデータファイルを参照することで標準ＭＩＢの範囲内でその機器からＭＩＢを取得することができる。
【００１９】
本発明の第４の態様に係るプログラムは、ネットワークに接続され得る機器が実装するＭＩＢを識別するオブジェクトＩＤと前記オブジェクトＩＤの取得要求に応答して前記機器より返信される値と前記値に対応する文字列とが定義されて当該プログラムが動作するコンピュータの記憶手段に格納されたデータファイルであって、前記ネットワークに接続された機器の種類を判別できるオブジェクトＩＤが定義されたデータファイルと、当該ネットワーク監視装置と同一の製造元が製造した機器が実装するＭＩＢを識別するオブジェクトＩＤが定義されたデータファイルと、当該ネットワーク監視装置と異なる製造元が製造した機器が実装する標準ＭＩＢを識別するオブジェクトＩＤが定義されたデータファイルとを参照し、ネットワークに接続され得る機器が実装するＭＩＢの定義が組み込まれていないプログラムであって、前記機器の種類を判別するためのデータファイルに定義されたオブジェクトＩＤの取得要求を前記機器に送信し応答を受信することにより前記ネットワークに接続された機器の種類を判別する手順と、当該ネットワーク監視装置と同一の製造元が製造した機器である場合は当該機器用のデータファイルを前記記憶手段から読み込む一方、当該ネットワーク監視装置と異なる製造元が製造した機器である場合は標準ＭＩＢ用のデータファイルを前記記憶手段から読み込んでデータファイルを参照して前記ネットワークに接続された機器にオブジェクトＩＤの取得要求を行い前記機器より返信された値に対応する文字列を前記機器のステータス情報として表示手段に表示する手順と、をコンピュータに実行させるためのプログラムである。
【００２０】
以下、本発明に係る実施の形態について図面を参照して具体的に説明する。
【００２１】
図１は、本発明の一実施の形態に係るネットワーク監視装置１０１が接続されるネットワークの構成を示す図である。ネットワーク監視装置１０１は、本発明の特徴を有するＭＩＢ取得プログラムを実行する機能を備える点を除き、通常のパーソナルコンピュータとしての機能を備えている。このネットワーク監視装置１０１は、メーカーであるＸ社が製造したものであるものとする。
【００２２】
このネットワーク監視装置１０１にＬＡＮ等のネットワーク１０２を介して機器Ａ１０３、機器Ｂ１０４、機器Ｃ１０５及び機器Ｄ１０６が接続されている。この機器Ａ１０３〜機器Ｄ１０６は、全てプリンタとしての機能を備えている。機器Ａ１０３〜機器Ｃ１０５は、ネットワーク監視装置１０１と同一のＸ社が製造した機器であるものであるが、各機器は異なる機種であるものとする。機器Ｄは、Ｘ社と異なるメーカーであるＹ社が製造した機器であるものとする。
【００２３】
機器Ａ１０３〜機器Ｄ１０６は、それぞれの機種に対応するＭＩＢを実装している。通常、ＭＩＢは機種によって異なるものであるため、同一メーカーに製造されたものであっても、機器Ａ１０３〜機器Ｃ１０５は異なるＭＩＢを実装している。
【００２４】
本実施の形態に係るネットワーク監視装置１０１は、従来のネットワーク監視装置と異なり、ネットワーク上の機器が実装するＭＩＢの定義が組み込まれたＭＩＢ取得プログラムを対象に応じて使い分けて実行するのではなく、ネットワーク上の機器が実装するＭＩＢの定義が組み込まれていない単一のＭＩＢ取得プログラムを実行することで各機器のステータスを監視するものである。
【００２５】
本実施の形態では、特にネットワーク１０２上のプリンタ機能を備える装置のステータスを監視する場合について説明する。しかし、これに限定されず、ネットワーク１０２上のその他の構成機器にも適用できることはいうまでもない。
【００２６】
図２に本実施の形態に係るネットワーク監視装置１０１におけるステータス監視に関する機能ブロック図を示す。図２において、ＭＩＢ取得プログラム実行部２０１は、本ネットワーク監視装置１０１が搭載する中央制御装置（ＣＰＵ）がＲＯＭ（Read Only Memory）に格納されたＭＩＢ取得プログラムを実行することで実現されるものである。
【００２７】
本ネットワーク監視装置１０１が実行するＭＩＢ取得プログラムは、ネットワーク１０２上の機器が実装するＭＩＢの定義が組み込まれていないプログラムである。本ＭＩＢ取得プログラムは、ＲＡＭ２０８に格納される共通ファイルや各機種用ファイルを参照することで、ネットワーク１０２上の機器からＭＩＢを取得するものである。
【００２８】
ＭＩＢ取得プログラム実行部２０１は、共通ファイル実行部２０２及び各機種用ファイル実行部２０３から構成される。共通ファイル実行部２０２は、ＲＡＭ２０８内の共通ファイルを参照することで、共通ファイルに記載された情報をネットワーク１０２上の機器から取得したり、後述するステータス監視画面を表示部２０５に表示させるものである。各機種用ファイル実行部２０３は、ＲＡＭ２０８内の各機種用ファイルを参照することで、ネットワーク１０２上の機器の種類に応じて、各機器からＭＩＢを取得するものである。
【００２９】
ここで、共通ファイル及び各機種用ファイルについて簡単に説明する。共通ファイル及び各機種用ファイルは、ＲＡＭ２０８に格納されるデータファイルである。共通ファイルは、ネットワーク１０２上の機器の種類（機種）に依存しないデータを定義するものであり、各機種用ファイルは、ネットワーク１０２上の機器の種類（機種）に依存するデータを定義するものである。
【００３０】
より具体的にいうと、共通ファイルは、ステータス監視画面のリソースデータやステータス監視の対象となった機器の種類を特定するためのデータを定義するものである。共通ファイル内のデータのうち、ステータス監視の対象となった機器の種類を特定するためのデータは、いわゆる標準ＭＩＢで定義されたものである。各機種用ファイルは、各機種が実装するＭＩＢを定義するものである。共通ファイル及び各機種用ファイルの詳細については後述する。
【００３１】
通信部２０４は、ＭＩＢ取得プログラム実行部２０１の制御の下、ネットワーク１０２上の機器と通信を行うものである。その際、通信部２０４は、ＭＩＢ取得プログラム実行部２０１から与えられる共通ファイルや各種機種用ファイル内のデータに基づいてネットワーク１０２上の機器と通信する。
【００３２】
表示部２０５は、ＭＩＢ取得プログラム実行部２０１の制御の下、ネットワーク１０２上の機器のステータスを表示するステータス監視画面を表示する。その際、表示部２０５は、ＭＩＢ取得プログラム実行部２０１から与えられるステータス監視画面のリソースデータや、ネットワーク１０２上の機器から取得したステータス情報に基づいてネットワーク１０２上の機器のステータス監視画面を表示する。
【００３３】
入力部２０６は、本ネットワーク監視装置１０１を操作するユーザからの指示をＭＩＢ取得プログラム実行部２０１に与えるものである。例えば、起動指示やステータスの監視間隔の設定指示等が入力される。
【００３４】
ファイル読込部２０７は、ＲＡＭ２０８に対して、新しいデータファイルを読み込んで格納するものである。例えば、本ネットワーク監視装置１０１よりも後に開発された同一メーカー（Ｘ社）が製造した機種のＭＩＢを含むデータファイル等が読み込まれ、ＲＡＭ２０８に格納される。
【００３５】
ＲＡＭ２０８は、ＭＩＢ取得プログラム実行部２０１がネットワーク１０２上の機器のステータスを監視する場合に参照するデータファイル（先に説明した共通ファイルや各機種用ファイル）を格納している。
【００３６】
なお、本実施の形態のネットワーク監視装置１０１は、Ｘ社によって製造されたものであるため、ＲＡＭ２０８には各機種用ファイルとしてＸ社が製造したプリンタ等のＭＩＢが記載されたデータファイルが格納されている。各機種用ファイルとしてのデータファイルは、初期設定において、例えば、本ネットワーク監視装置１０１が開発される以前の機種のものが格納されている。
【００３７】
本実施の形態では、図１で示したような機種Ａ、機種Ｂ及び機種Ｃにそれぞれ対応する機種Ａ用ファイル、機種Ｂ用ファイル及び機種Ｃ用ファイルを含むＸ社製の製品のＭＩＢが記載されたデータファイルが格納されているものとする。
【００３８】
また、ＲＡＭ２０８には、各機種用ファイルとして、標準機種用ファイルが格納されている。標準機種用ファイルは、他社（Ｘ社以外のメーカー）が製造したプリンタを含む標準のプリンタが実装するＭＩＢが記載されたデータファイルである。この標準機種用ファイルは、いわゆる標準ＭＩＢで構成されている。
【００３９】
以下、ＲＡＭ２０８内の共通ファイル内のデータ、標準機種用ファイル内のデータ及び機種Ａ用ファイル内のデータについて具体的に説明する。まず、共通ファイル内のデータの一例を示す。
【００４０】
図３〜図５は、共通ファイル内のデータの一例を示す図である。上述のように、共通ファイルには、ステータス監視画面のリソースデータやネットワーク１０２上の機器の種類を特定するためのデータなどが定義されている。図３及び図４は、これらの情報のうち、ステータス監視画面のリソースデータの一例を示す図である。
【００４１】
図３は、図６に示すステータス監視画面の初期画面（ステータス監視画面）を表示するためのリソースデータが定義された部分を示している。図３に示すように、共通ファイルには、ステータス監視画面を表示するためのリソースデータが複数のセクションに分けて定義されている。
【００４２】
具体的には、メインウィンドウセクション３０１において、図６に示すタイトル６０１（ステータス監視）やＯＫボタン６０２、キャンセルボタン６０３、ヘルプボタン６０４の文字列が定義されている。また、タブタイトルセクション３０２において、図６に示すタブのタイトル６０５（ステータス、構成、トレイ、ネットワーク）の文字列が定義されている。さらに、ステータスタブセクション３０３において、ネットワーク１０２上の機器からのステータス情報を表示する各領域の近傍に付与する文字列６０６（モデル、ステータスＡ、ステータスＢ等）が定義されている。
【００４３】
なお、図６に示すステータス監視画面において、ネットワーク１０２上からの機器のステータス情報は、共通ファイルには書き込まれておらず、後述する各機種用ファイルを実行することで指定された機器から取得される。
【００４４】
図６に示すように、本実施の形態に係るネットワーク監視装置１０１においては、ステータス監視画面に装置の外観図が表示されるようになっている。ステータス監視画面に装置外観図が表示される仕組みについては後述する各機種用ファイル内のデータの一例で説明する。
【００４５】
図４は、図７、図８、図９に示すステータス監視画面の中の構成画面、トレイ画面、ネットワーク画面を表示するためのリソースデータが定義された部分を示している。
【００４６】
具体的には、構成タブセクション４０１において、図７に示す構成画面のうち、ネットワーク１０２上の機器のステータス情報を表示する各領域の近傍に付与する文字列７０１（モデル、構成等）が定義されている。また、トレイタブセクション４０２において、図８に示すトレイ画面のうち、ネットワーク１０２上の機器のステータス情報を表示する各領域の近傍に付与する文字列８０１（用紙トレイ割当て、トレイ名等）が定義されている。さらに、ネットワークタブセクション４０３において、図９に示すネットワーク画面のうち、ネットワーク１０２上の機器のステータス情報を表示する各領域の近傍に付与する文字列９０１（モデル、ネットワーク情報等）が定義されている。
【００４７】
なお、これらの画面において、ネットワーク１０２上の機器のステータス情報は、ステータス監視画面と同様、共通ファイルには書き込まれておらず、後述する各機種用ファイルを実行することで指定された機器から取得される。
【００４８】
図５は、共通ファイルで定義されるデータのうち、ステータス監視の対象となった機器の種類を特定するための情報が書き込まれた部分を示す図である。図５に示すように、共通ファイルには、ステータス監視画面を表示するためのリソースデータと同様に、ステータス監視の対象となった機器の種類を特定するためのデータが複数のセクションに分けて定義されている。
【００４９】
スタンダードＭｉｂＯｉｄ（Object ID）セクション５０１では、ステータス監視の対象となった機器が標準機種のプリンタであるかを判断するためのＯＩＤ（Object ID）とその値が定義されている。ここで、ＯＩＤ（Object ID）とは、ネットワーク１０２上の機器が実装するＭＩＢの中から本ネットワーク監視装置１０１が要求する対象のＭＩＢを指定する識別コードである。
【００５０】
図５の例を用いると、ステータス監視の対象となった機器に対して「１．３．６．１．２．１．２５．３．２．１．５」というＯＩＤを指定して要求し、このＯＩＤに対してその機器から返信された値が肯定を示す値であれば、この機器は標準機種のプリンタであることを示す。
【００５１】
メーカーＭｉｂＯｉｄセクション５０２では、ステータス監視の対象となった機器がいずれのメーカーのプリンタであるかを判断するためのＯＩＤとその値が定義されている。ここでは、本ネットワーク監視装置１０１がＸ社製のものであるため、ステータス監視の対象となった機器が自社製のプリンタであるか、つまりＸ社のプリンタであるかを判断するためのＯＩＤを例として示している。
【００５２】
図５の例を用いると、ステータス監視の対象となった機器に対して「１．３．６．１．４．１．＊＊＊．４０５．１．１．１．１」というＯＩＤを指定して要求し、このＯＩＤに対してその機器から返信された値が肯定を示す値であれば、この機器はＸ社製のプリンタであることを示す。逆にこのＯＩＤに対して返信された値が否定を示す値であれば、この機器はＸ社製のプリンタでない、つまり、他社製のプリンタであることを示す。
【００５３】
モデル名称セクション５０３では、ステータス監視の対象である機器がいずれの機種であるかを判断するためのＯＩＤとその表示方法が定義されている。具体的には、各機種を示すＯＩＤが羅列され、各ＯＩＤに各機種（モデル）の名称が対応づけられている。
【００５４】
図５の例を用いると、ステータス監視の対象となった機器に対して「１．３．６．１．２．１．２５．３．２．１．３」、「１．３．６．１．２．１．２５．３．２．１．４」というＯＩＤを指定して要求し、前者のＯＩＤに対して返信された値が肯定を示す値であれば、この機器の機種が「ＡＢＣ１００」であることを示す。
【００５５】
このようなＲＡＭ２０８内の共通ファイルを参照することで、共通ファイル実行部２０２は、ＲＡＭ２０８内の共通ファイルを参照することで、共通ファイルに記載された情報をネットワーク１０２上の機器から取得したり、後述するステータス監視画面を表示部２０５に表示させることができる。
【００５６】
次に、標準機種用ファイル内のデータの一例を示す。上述のように、標準機種用ファイルには、標準のプリンタが実装するＭＩＢが記載されている。
【００５７】
図１０は、標準機種用ファイル内のデータの一例を示す図である。図１０に示すように、標準機種用ファイルには、標準のプリンタが実装するＭＩＢが複数のセクションに分けて定義されている。図１０では、複数のセクションのうち、ＯＩＤ定義セクション及び本ネットワーク監視装置１０１に特に関連するステータスタブ定義セクションを抜粋して説明する。
【００５８】
ＯＩＤ定義セクション１００１では、標準機種用ファイル内で使用するＯＩＤを示す文字列と、その文字列に対応するＯＩＤを定義している。図１０の例でいうと、「ＯＩＤ▲１▼」という文字列に「１．３．６．１．２．１．４３．１８．１．１．７」というＯＩＤが対応づけられている。
【００５９】
また、それぞれのＯＩＤにはステータス監視の対象となった機器の種類に応じて、その機器に要求すべきＯＩＤか否かが指定されている。本ネットワーク監視装置１０１は、この指定に応じてステータス監視の対象となった機器に要求するＯＩＤを判断することができる。
【００６０】
ステータスタブ定義セクション１００２では、ステータスタブメッセージを示すＯＩＤに応答して、ステータス監視の対象となった機器から返信される値と、その値に対応して表示する文字列が定義されている。
【００６１】
図１０の例を用いると、ステータスメッセージを示すＯＩＤに対して返信された値が「１２３４５」であった場合、ステータス監視画面のステータスメッセージには「カバーが開いています。」が表示される。同様に、返信された値が「３４５６７」、「０１２３４」であった場合、ステータス監視画面のステータスメッセージには、それぞれ「紙づまりです。」、「印刷準備中です。」が表示される。
【００６２】
このようなＲＡＭ２０８内の標準機種ファイルに記載されたＭＩＢを参照することで、各機種用ファイル実行部２０３は、ネットワーク１０２上の機器が自社製の製品でなくても、標準のプリンタが実装するＭＩＢの範囲でその機器のステータスを監視することができる。
【００６３】
次に、機種Ａ用ファイル内のデータの一例を示す。上述のように、各機種用ファイルには各機種が実装するＭＩＢが記載されている。機種Ａ用ファイルには機種Ａが実装するＭＩＢが記載されている。機種Ａは、上述した標準のプリンタが実装するＭＩＢに加えて、機種Ａ用に独自に設定されたＭＩＢを実装している。
【００６４】
図１１は、機種Ａ用ファイル内のデータの一例を示す図である。図１１に示すように、機種Ａ用ファイルには、機種Ａが実装するＭＩＢが複数のセクションに分けて定義されている。図１１では、複数のセクションのうち、ＯＩＤ定義セクション及び本ネットワーク監視装置１０１に特に関連する機種Ａ用ステータスタブ定義セクションを抜粋して説明する。機種Ａ用ステータスタブ定義セクションには、機種Ａが実装する独自のＭＩＢが定義されている。
【００６５】
機種Ａ用ＯＩＤ定義セクション１１０１では、機種Ａ用ファイル内で使用するＯＩＤを示す文字列と、その文字列に対応するＯＩＤを定義している。図１１の例でいうと、「ＯＩＤＡ▲１▼」という文字列に「１．３．６．１．４．１．０００．２２２．１．１１．１．１．１」というＯＩＤが対応づけられている。また、標準機種用ファイルと同様に、それぞれのＯＩＤには機種Ａに対して要求すべきＯＩＤか否かが指定されている。
【００６６】
機種Ａ用ステータスタブ定義セクション１１０２では、標準機種用ファイルと同様に、ステータスタブメッセージを示すＯＩＤに応答して、機種Ａから返信される値と、その値に対応して表示する文字列が定義されている。
【００６７】
図１１の例を用いると、ステータスメッセージを示すＯＩＤに対して返信された値が「ＸＡ００１」であった場合、ステータス監視画面のステータスメッセージには「シアン塗料が少なくなりました。」が表示される。同様に、返信された値が「ＸＡ００３」、「ＸＡ００５」であった場合、ステータス監視画面のステータスメッセージには、それぞれ「マゼンタ現像器が消耗しています。」、「廃トナーボックスが一杯です。」が表示される。
【００６８】
また、この機種Ａ用ステータスタブ定義セクション１１０２では、各ステータスメッセージに応じた装置の外観を示す画像データが対応づけられている。したがって、ステータスメッセージを示すＯＩＤに対して機種Ａから返信された値を取得すると、その値に対応した装置の外観を示す画像データがステータス監視画面に表示される。
【００６９】
例えば、ステータスメッセージを示すＯＩＤに対して機種Ａから返信された値が「ＸＡ００７」であった場合には、図６に示すステータス監視画面のステータスＡには、この値に対応して「第１給紙の用紙がなくなりました。」というステータスメッセージが表示されると共に、ステータスＢには、図１２（ａ）に示す装置の外観を示す画像データが表示される。
【００７０】
このようなＲＡＭ２０８内の機種Ａ用ファイルに記載されたＭＩＢを参照することで、各機種用ファイル実行部２０３は、機種Ａのあらゆるステータスを監視することができる。
【００７１】
同様に、ステータスメッセージを示すＯＩＤに対して機種Ａから返信された値が「ＸＡ００８」、「ＸＡ００９」及び「ＸＡ０１０」であった場合には、図６に示すステータス監視画面のステータスＡには、それぞれの値に対応して「ＡＤＦで紙詰まりが発生しました。」、「プリント中です。」及び「ブラックトナーがありません。」というステータスメッセージが表示されると共に、ステータスＢには、それぞれの値に対応して図１２（ｂ）、図１２（ｃ）及び図１２（ｄ）に示す装置の外観を示す画像データが表示される。
【００７２】
なお、ＲＡＭ２０８には、機種Ａファイルと同様に、機種Ｂ用ファイルや機種Ｃ用ファイルなど、Ｘ社が製造した機種用ファイルが格納される。これらの機種Ｂ用ファイルや機種Ｃ用ファイルに記載されたＭＩＢを参照することで、ＭＩＢ取得プログラム実行部２０１は、機種Ｂのあらゆるステータス及び機種Ｃのあらゆるステータスを監視することができる。
【００７３】
次に、このような構成を有するネットワーク監視装置１０１がネットワーク１０２上の機器のステータスを監視する動作について説明する。図１３は、本ネットワーク監視装置１０１がネットワーク１０２上の機器のステータスを監視する動作を説明するためのフロー図である。
【００７４】
ここでは、自社（Ｘ社）製の機種を監視する場合の代表例として機種Ａのステータスを監視する場合と他社（Ｘ社以外の会社）製の機種を監視する場合として機種Ｄのステータスを監視する場合について説明する。まず、機種Ａのステータスを監視する場合について説明する。
【００７５】
ネットワーク１０２上の機器のステータスを監視する場合、本ネットワーク監視装置１０１では、まず、その監視対象の機器が自社（Ｘ社）製の機器か判断する。このため、本ネットワーク監視装置１０１において、ＭＩＢ取得プログラム実行部２０１が監視対象の機器が自社製の機器か判断するための情報をその機器から取得する（ＳＴ１３０１）。
【００７６】
具体的には、ＭＩＢ取得プログラム実行部２０１の共通ファイル実行部２０２が図５に示すスタンダードＭｉｂＯｉｄセクション５０１及びメーカーＭｉｂＯｉｄセクション５０２に記載されたＯＩＤを指定して、ステータスの監視対象となった機器に問い合わせを行い、その機器から返信された値を取得する。
【００７７】
自社製の機器か判断するための情報を取得したならば、その情報が示す製造元が自社であるか他社であるかを判断する（ＳＴ１３０２）。ここでは、本ネットワーク監視装置１０１がＸ社製であるため、ステータス監視の対象となった機器がＸ社製のプリンタであるかを判断する。
【００７８】
具体的には、ＳＴ１３０１でステータス監視の対象となった機器から取得した値が自社（Ｘ社）を示すかを判断する。より具体的には、図５に示すメーカーＭｉｂＯｉｄセクション５０２に記載された「１．３．６．１．４．１．＊＊＊．４０５．１．１．１．１」に対して返信された値が肯定を示す値であれば、自社（Ｘ社）製であると判断する。ここでは、機種Ａのステータスについて監視しようとしているので、処理がＳＴ１３０３に進む。
【００７９】
ＳＴ１３０２で自社製の機器であると判断したならば、今度は自社製の機器のうち、いずれの機種かを判断する。このため、本ネットワーク監視装置１０１において、ＭＩＢ取得プログラム実行部２０１が監視対象の機器が自社製のいずれの機種か判断するための情報をその機器から取得する（ＳＴ１３０３）。
【００８０】
具体的には、ＭＩＢ取得プログラム実行部２０１の共通ファイル実行部２０２が図５に示すモデル名称セクション５０３に記載されたＯＩＤを指定して、監視対象の機器に問い合わせを行い、その機器から返信された値を取得する。
【００８１】
自社製のいずれの機種か判断するための情報を取得したならば、その情報がいずれの機種を示すか判断する（ＳＴ１３０４）。具体的には、ＳＴ１３０３で取得した値がいずれの機種を示すかを判断する。より具体的には、図５に示すモデル名称セクションに記載された「１．３．６．１．２．１．２５．３．２．１．３」等に対して返信された値のうち、肯定を示す値であるものに対応する機種を判断する。ここでは、機種Ａのステータスについて監視しようとしているので、処理がＳＴ１３０５に進む。
【００８２】
ここまでの動作によりステータス監視の対象となった機器が自社（Ｘ社）製の機器であるか、自社製の機器であれば、いずれの機種であるかが把握される。ここでは、ステータス監視の対象となった機器が自社製の機種Ａであることが把握される。ステータス監視の対象となった機器が機種Ａであることを把握したならば、共通ファイル実行部２０２は、その旨を各機種用ファイル実行部２０３に通知する。
【００８３】
この通知を受けると、各機種用ファイル実行部２０３は、ＲＡＭ２０８から機種Ａ用ファイルを読み込む（ＳＴ１３０５）。機種Ａ用ファイルを読み込むことにより、各機種用ファイル実行部２０３は、機種Ａ用ファイルに指定された機種Ａに要求すべきＯＩＤを認識することができると共に、そのＯＩＤの要求に対して返信された値が示す意味を認識することができる状態となる。
【００８４】
機種Ａ用ファイルを読み込んだならば、各機種用ファイル実行部２０３は、機種Ａ用ファイルに指定された機種Ａに要求すべきＯＩＤを要求し、そのＯＩＤの要求に対して返信された値を取得する（ＳＴ１３０６）。
【００８５】
機種Ａから返信された値を取得したならば、各機種用ファイル実行部２０３は、機種Ａ用ファイルに定義された文字列等の編集情報に従って、その値に対応するメッセージや装置の外観を示す画像データを表示部２０５で表示する（ＳＴ１３０７）。
【００８６】
本ネットワーク監視装置１０１は、ユーザによりＭＩＢ取得プログラムが起動されている間、継続してステータス監視の対象となった機器からステータス情報を取得する。このとき、本ネットワーク監視装置１０１は、ユーザにより設定された監視間隔、あるいは、各機種に予め設定されている監視間隔を判断しながら、ステータス情報を取得する。
【００８７】
ＳＴ１３０８では、ステータス監視の対象となった機器に設定された監視間隔を判断する。ここでは、機種Ａに設定された監視間隔を判断し、ステータスを監視するタイミングを判断している。ここで、ステータスを監視するタイミングとなっているならば、処理をＳＴ１３０６に戻し、同様の処理を繰り返す。
【００８８】
なお、ステータス監視の対象となった機器が機種Ｂや機種Ｃである場合にも、機種Ａが監視対象となった場合と同様に処理される。ＳＴ１３０４において、ステータス監視の対象となった機器が機種Ｂ、機種Ｃと判断された場合、それぞれＲＡＭ２０８から機種Ｂ用ファイル、機種Ｃ用ファイルが読み込まれ（ＳＴ１３０９、ＳＴ１３１３）、機種Ａと同様に、ＳＴ１３１０〜ＳＴ１３１２、ＳＴ１３１４〜ＳＴ１３１６の処理が実行される。これにより、機種Ｂ及び機種Ｃのステータスが監視される。
【００８９】
このように本ネットワーク監視装置１０１によれば、ＲＡＭ２０８に自社製の機器か等を判断する共通ファイル及び自社製の機種である場合に各機種が実装する独自のＭＩＢまで認識できる各機種用ファイルを格納している。そして、ＭＩＢ取得プログラム実行部２０１は、これらのファイル内のデータ（ＭＩＢを含む）を参照して監視対象の機器のステータスを把握することができる。このとき、監視対象の機器が自社製の機器であれば、その機器独自のＭＩＢまで把握することができる。したがって、従来のネットワーク監視装置と異なり、ネットワーク上の全ての機器が実装するＭＩＢの定義が組み込まれたＭＩＢ取得プログラムを搭載するのではなく、ネットワーク上の機器が実装するＭＩＢの定義が組み込まれていない単一のＭＩＢ取得プログラムで自社製のあらゆる機種のステータスを監視することができる。
【００９０】
次に、機種Ｄのステータスを監視する場合について説明する。機種Ｄのステータスを監視する場合も、ＳＴ１３０１及びＳＴ１３０２の処理を行う。ここでは、Ｙ社製の機種Ｄのステータスについて監視しようとしているので、処理がＳＴ１３１７に進む。
【００９１】
ＳＴ１３０２において、ステータス監視の対象となった機器が他社製の機器であると把握すると、共通ファイル実行部２０２は、その旨を各機種用ファイル実行部２０３に通知する。
【００９２】
この通知を受けると、各機種用ファイル実行部２０３は、ＲＡＭ２０８から標準機種用ファイルを読み込む（ＳＴ１３１７）。標準機種用ファイルを読み込むことにより、各機種用ファイル実行部２０３は、標準機種用ファイルに指定された他社機種に要求すべきＯＩＤを認識することができると共に、そのＯＩＤの要求に対して返信された値が示す意味を認識することができる状態となる。
【００９３】
標準機種用ファイルを読み込んだならば、各機種用ファイル実行部２０３は、標準機種用ファイルに指定された他社機種に要求すべきＯＩＤを要求し、そのＯＩＤの要求に対して返信された値を取得する（ＳＴ１３１８）。
【００９４】
機種Ｄから返信された値を取得したならば、各機種用ファイル実行部２０３は、標準機種用ファイルに定義された文字列等の編集情報に従って、その値に対応するメッセージを表示部２０５で表示する（ＳＴ１３１９）。
【００９５】
なお、標準機種用ファイルには、標準ＭＩＢに対応する定義しか記載されていないため、監視対象の機器が機種Ａの場合と異なり、各ステータスメッセージに対応する装置の外観を示す画像データを表示することはできない。
【００９６】
表示部２０５にメッセージを表示したならば、機種Ｄに設定された監視間隔を判断することで、ステータスを監視するタイミングを判断する（ＳＴ１３２０）。そして、ステータスを監視するタイミングとなっているならば、処理をＳＴ１３１８に戻し、同様の処理を繰り返す。
【００９７】
このように本ネットワーク監視装置１０１によれば、ＲＡＭ２０８に自社製の機器か等を判断する共通ファイル及び他社製の機種であれば、他社製の機種も実装している標準ＭＩＢを認識できる標準機種用ファイルを格納している。そして、ＭＩＢ取得プログラム実行部２０１は、これらのファイル内のデータ（ＭＩＢを含む）を参照して監視対象の機器が他社製の機器であっても、標準ＭＩＢに定義された範囲でその機器のステータスを把握することができる。したがって、従来のネットワーク監視装置と異なり、ネットワーク上の全ての機器が実装するＭＩＢの定義が組み込まれたＭＩＢ取得プログラムを搭載するのではなく、ネットワーク上の機器が実装するＭＩＢの定義が組み込まれていない単一のＭＩＢ取得プログラムで他社製のあらゆる機種のステータスを監視することができる。
【００９８】
また、本実施の形態では、ＲＡＭ２０８にステータス監視画面のリソースデータやステータス監視の対象となった機器の種類を特定するためのデータを定義する共通ファイルや、各機種が実装するＭＩＢを定義する各機種用ファイルを格納している。そして、ＭＩＢ取得プログラム実行部２０１は、これらのファイル内のデータを参照してステータス監視画面の作成を実行する。つまり、ステータス監視画面上の表示に関するデータは、このＭＩＢ取得プログラムに組み込まれていない。したがって、このステータス監視画面の表示を変更したい場合（例えば、外国語で表示する場合）には、このＭＩＢ取得プログラムを一切書き換えることなく、共通ファイル等のファイル内のデータを変更するだけで実現することができる。したがって、本ネットワーク監視装置１０１によれば、ステータス監視画面の表示の変更を容易に実現することができる。
【００９９】
なお、本実施の形態では、ＭＩＢ取得プログラム実行部２０１は、ＲＡＭ２０８の格納された共通ファイルや各機種用ファイル内のデータを参照してＭＩＢ取得プログラムを実行する。しかし、これに限定されず、ＭＩＢ取得プログラム実行部２０１が実行するＭＩＢ取得プログラムは、共通ファイル内のデータを含むプログラムとしてもよい。
【０１００】
このように変更した場合であっても、本実施の形態と同様に、従来のネットワーク監視装置と異なり、ネットワーク上の全ての機器が実装するＭＩＢの定義が組み込まれたＭＩＢ取得プログラムを搭載するのではなく、ネットワーク上の機器が実装するＭＩＢの定義が組み込まれていない単一のＭＩＢ取得プログラムで各機器のステータスを監視することができるという効果を奏する。
【０１０１】
しかし、この場合には、上述したステータス監視画面の容易な変更という効果を奏することができないため、実施の形態としては、共通ファイルもＲＡＭ２０８内に格納しておくことが望ましい。
【０１０２】
本発明は、当業者に明らかなように、上記実施の形態に記載した技術に従ってプログラムされた一般的な市販のデジタルコンピュータおよびマイクロプロセッサを使って実施することができる。また、当業者に明らかなように、本発明は、上記実施の形態に記載した技術に基づいて当業者により作成されるコンピュータプログラムを包含する。
【０１０３】
また、本発明を実施するコンピュータをプログラムするために使用できる命令を含む記憶媒体であるコンピュータプログラム製品が本発明の範囲に含まれる。この記憶媒体は、フロッピー（Ｒ）ディスク、光ディスク、ＣＤＲＯＭ及び磁気ディスク等のディスク、ＲＯＭ、ＲＡＭ、ＥＰＲＯＭ、ＥＥＰＲＯＭ、磁気光カード、メモリカードまたはＤＶＤ等であるが、特にこれらに限定されるものではない。
【０１０４】
【発明の効果】
以上説明したように本発明によれば、ネットワークに接続された構成機器の機種によらず、単一のＭＩＢ取得プログラムで全ての機種のＭＩＢを取得し、ネットワーク上の構成機器のステータスを監視することができる。
【図面の簡単な説明】
【図１】本発明の一実施の形態に係るネットワーク監視装置が接続されるネットワークの構成を示す図
【図２】上記実施の形態に係るネットワーク監視装置のステータス監視に関する機能ブロック図
【図３】上記実施の形態に係るネットワーク監視装置の共通ファイル内のデータの一例を示す図
【図４】上記実施の形態に係るネットワーク監視装置の共通ファイル内のデータの一例を示す図
【図５】上記実施の形態に係るネットワーク監視装置の共通ファイル内のデータの一例を示す図
【図６】上記実施の形態に係るネットワーク監視装置で表示されるステータス監視画面の初期画面を示す図
【図７】上記実施の形態に係るネットワーク監視装置で表示されるステータス監視画面の構成画面を示す図
【図８】上記実施の形態に係るネットワーク監視装置で表示されるステータス監視画面のトレイ画面を示す図
【図９】上記実施の形態に係るネットワーク監視装置で表示されるステータス監視画面のネットワーク画面を示す図
【図１０】上記実施の形態に係るネットワーク監視装置の標準機種用ファイル内のデータの一例を示す図
【図１１】上記実施の形態に係るネットワーク監視装置の機種Ａ用ファイル内のデータの一例を示す図
【図１２】上記実施の形態に係るネットワーク監視装置の機種Ａ用ファイル内の装置外観の画像データの一例を示す図
【図１３】上記実施の形態に係るネットワーク監視装置において、ネットワーク上の機器のステータスを監視する動作を説明するためのフロー図
【符号の説明】
１０１  ネットワーク監視装置
１０２  ネットワーク
１０３  Ｘ社機器Ａ
１０４  Ｘ社機器Ｂ
１０５  Ｘ社機器Ｃ
１０６  Ｙ社機器Ｄ
２０１  ＭＩＢ取得プログラム実行部
２０２  共通ファイル実行部
２０３  各機種用ファイル実行部
２０４  通信部
２０５  表示部
２０６  入力部
２０７  ファイル読込部
２０８  ＲＡＭ
【図１】
0004482252.tif 000002
【図２】
0004482252.tif 000003
【図３】
0004482252.tif 000004
【図４】
0004482252.tif 000005
【図５】
0004482252.tif 000006
【図６】
0004482252.tif 000007
【図７】
0004482252.tif 000008
【図８】
0004482252.tif 000009
【図９】
0004482252.tif 000010
【図１０】
0004482252.tif 000011
【図１１】
0004482252.tif 000012
【図１２】
0004482252.tif 000013
【図１３】
0004482252.tif 000014